(57)【特許請求の範囲】
【請求項１】
車両に搭載される車両用制御装置であって、
エンジンに接続される第１電動機と、前記第１電動機に接続される第１蓄電体と、を備える第１始動系と、
前記エンジンに接続される第２電動機と、前記第２電動機に接続される第２蓄電体と、を備える第２始動系と、
停止条件に基づき前記エンジンを停止し、始動条件に基づき前記第１始動系を用いて前記エンジンを再始動するエンジン制御部と、
を有し、
前記エンジン制御部は、前記停止条件に基づき前記エンジンを停止させた状態のもとで、前記第１始動系に異常が発生した場合に、前記始動条件の成立前に前記第２始動系を用いて前記エンジンを再始動する、車両用制御装置。
【請求項２】
車両に搭載される車両用制御装置であって、
エンジンに接続される第１電動機と、前記第１電動機に接続される第１蓄電体と、を備える第１始動系と、
前記エンジンに接続される第２電動機と、前記第２電動機に接続される第２蓄電体と、を備える第２始動系と、
停止条件に基づき前記エンジンを停止し、始動条件に基づき前記第１始動系を用いて前記エンジンを再始動するエンジン制御部と、
前記第１蓄電体と前記第２蓄電体との正極端子を接続する通電経路、または前記第１蓄電体と前記第２蓄電体との負極端子を接続する通電経路に設けられ、かつ前記第１電動機と前記第１蓄電体とを接続する導通状態と、前記第１電動機と前記第１蓄電体とを分離する遮断状態と、に切り替えられるスイッチと、
を有し、
前記エンジン制御部は、前記停止条件に基づき前記エンジンを停止させた状態のもとで、前記第１始動系に異常が発生した場合には、前記スイッチを遮断状態に切り替える遮断信号が出力された後に、前記第２始動系を用いて前記エンジンを再始動する、車両用制御装置。
【請求項３】
請求項１または２記載の車両用制御装置において、
前記エンジン制御部は、前記第２始動系を用いて前記エンジンを再始動させた場合に、前記停止条件に基づく前記エンジンの停止を禁止する、車両用制御装置。
【請求項４】
請求項１記載の車両用制御装置において、
前記第１電動機と前記第１蓄電体とを接続する導通状態と、前記第１電動機と前記第１蓄電体とを分離する遮断状態と、に切り替えられるスイッチを有し、
前記第１始動系に異常が発生した場合には、前記スイッチを遮断状態に切り替える遮断信号が出力された後に、前記第２始動系を用いて前記エンジンが再始動される、車両用制御装置。
【請求項５】
請求項４記載の車両用制御装置において、
前記スイッチは、前記第１蓄電体と前記第２蓄電体との正極端子を接続する通電経路、または前記第１蓄電体と前記第２蓄電体との負極端子を接続する通電経路に設けられる、車両用制御装置。
【発明の詳細な説明】
【技術分野】
【０００１】
本発明は、車両に搭載される車両用制御装置に関する。
【背景技術】
【０００２】
所定の停止条件に基づきエンジンを停止し、所定の始動条件に基づきエンジンを再始動する車両が開発されている（特許文献１参照）。特許文献１に記載される車両においては、停止条件に基づいてエンジンを停止させる際に、オルタネータを発電させてリチウムイオンバッテリおよび鉛バッテリを充電する。一方、始動条件に基づいてエンジンを再始動させる際には、鉛バッテリの電力によってスタータを始動回転させる。
【先行技術文献】
【特許文献】
【０００３】
【特許文献１】特開２０１４−３６５５７号公報
【発明の概要】
【発明が解決しようとする課題】
【０００４】
ところで、始動条件が成立してエンジンを再始動する際に、スタータ、バッテリおよびコントローラ等の始動系に異常が発生していた場合には、エンジンを再始動することが困難となっていた。しかしながら、始動系に異常が発生した場合であっても、最低限の走行性能を確保する観点から、エンジンを再始動させることが求められている。
【０００５】
本発明の目的は、始動系に異常が発生した場合であっても、エンジンを再始動することにある。
【課題を解決するための手段】
【０００６】
本発明の車両用制御装置は、車両に搭載される車両用制御装置であって、エンジンに接続される第１電動機と、前記第１電動機に接続される第１蓄電体と、を備える第１始動系と、前記エンジンに接続される第２電動機と、前記第２電動機に接続される第２蓄電体と、を備える第２始動系と、停止条件に基づき前記エンジンを停止し、始動条件に基づき前記第１始動系を用いて前記エンジンを再始動するエンジン制御部と、を有し、前記エンジン制御部は、前記停止条件に基づき前記エンジンを停止させた状態のもとで、前記第１始動系に異常が発生した場合に、前記始動条件の成立前に前記第２始動系を用いて前記エンジンを再始動する。また、本発明の車両用制御装置は、車両に搭載される車両用制御装置であって、エンジンに接続される第１電動機と、前記第１電動機に接続される第１蓄電体と、を備える第１始動系と、前記エンジンに接続される第２電動機と、前記第２電動機に接続される第２蓄電体と、を備える第２始動系と、停止条件に基づき前記エンジンを停止し、始動条件に基づき前記第１始動系を用いて前記エンジンを再始動するエンジン制御部と、前記第１蓄電体と前記第２蓄電体との正極端子を接続する通電経路、または前記第１蓄電体と前記第２蓄電体との負極端子を接続する通電経路に設けられ、かつ前記第１電動機と前記第１蓄電体とを接続する導通状態と、前記第１電動機と前記第１蓄電体とを分離する遮断状態と、に切り替えられるスイッチと、を有し、前記エンジン制御部は、前記停止条件に基づき前記エンジンを停止させた状態のもとで、前記第１始動系に異常が発生した場合には、前記スイッチを遮断状態に切り替える遮断信号が出力された後に、前記第２始動系を用いて前記エンジンを再始動する。
【発明の効果】
【０００７】
本発明によれば、停止条件に基づきエンジンを停止させた状態のもとで、第１始動系に異常が発生した場合に、第２始動系を用いてエンジンを再始動する。これにより、始動系に異常が発生した場合であっても、エンジンを再始動することができる。
【図面の簡単な説明】
【０００８】
【図１】本発明の一実施の形態である車両用制御装置を備えた車両の構成例を示す概略図である。
【図２】車両用制御装置の構成例を示すブロック図である。
【図３】車両用制御装置の構成を簡単に示した回路図である。
【図４】バッテリの端子電圧と充電状態との関係を示す線図である。
【図５】モータジェネレータの発電制御の一例を示すタイミングチャートである。
【図６】車両用制御装置の電力供給状況を示す説明図である。
【図７】車両用制御装置の電力供給状況を示す説明図である。
【図８】車両用制御装置の電力供給状況を示す説明図である。
【図９】車両用制御装置の電力供給状況を示す説明図である。
【図１０】第１始動系における異常状態の発生例を示す説明図である。
【図１１】第１始動系における異常状態の発生例を示す説明図である。
【図１２】第１始動系における異常状態の発生例を示す説明図である。
【図１３】フェイルセーフ制御の実行手順の一例を示すフローチャートである。
【図１４】フェイルセーフ制御によるエンジン再始動状況を示す説明図である。
【発明を実施するための形態】
【０００９】
以下、本発明の実施の形態を図面に基づいて詳細に説明する。図１は本発明の一実施の形態である車両用制御装置１０を備えた車両１１の構成例を示す概略図である。図１に示すように、車両１１には、エンジン１２を備えたパワーユニット１３が搭載されている。エンジン１２のクランク軸１４には、ベルト機構１５を介してモータジェネレータ（第１電動機）１６が連結されている。このように、エンジン１２には、モータジェネレータ１６が機械的に接続されている。また、エンジン１２にはトルクコンバータ１７を介して変速機構１８が連結されており、変速機構１８にはデファレンシャル機構１９等を介して車輪２０が連結されている。さらに、パワーユニット１３には、クランク軸１４を始動回転させるスタータモータ（第２電動機）２１が設けられている。このように、エンジン１２には、スタータモータ２１が機械的に接続されている。
【００１０】
モータジェネレータ１６は、所謂ＩＳＧ（integrated starter generator）であり、クランク軸１４に駆動されて発電する発電機として機能するだけでなく、クランク軸１４を始動回転させる電動機として機能している。モータジェネレータ１６は、ステータコイルを備えたステータ２２と、フィールドコイルを備えたロータ２３と、を有している。また、モータジェネレータ１６には、ステータコイルやフィールドコイルの通電状態を制御するため、インバータ、レギュレータおよびマイクロコンピュータ等を備えたＩＳＧコントローラ２４が設けられている。ＩＳＧコントローラ２４には、モータジェネレータ１６の発電電圧や発電電流を検出するセンサ２４ａが接続されている。
【００１１】
モータジェネレータ１６を発電機として機能させる際には、ＩＳＧコントローラ２４によってフィールドコイルの通電状態が制御される。フィールドコイルの通電状態を制御することにより、モータジェネレータ１６の発電電圧を制御することができる。また、モータジェネレータ１６を発電駆動する際に、ＩＳＧコントローラ２４のインバータを制御することで、モータジェネレータ１６の発電電流を制御することが可能である。一方、モータジェネレータ１６を電動機として機能させる際には、ＩＳＧコントローラ２４によってステータコイルの通電状態が制御される。なお、ＩＳＧコントローラ２４は、後述する制御ユニット５０からの制御信号に基づいて、フィールドコイルやステータコイルの通電状態を制御する。
【００１２】
続いて、車両用制御装置１０の構成について説明する。図２は車両用制御装置１０の構成例を示すブロック図である。図３は車両用制御装置１０の構成を簡単に示した回路図である。図１〜図３に示すように、車両用制御装置１０は、第１蓄電体であるリチウムイオンバッテリ２７と、第２蓄電体である鉛バッテリ２８と、を備えている。リチウムイオンバッテリ２７および鉛バッテリ２８は、モータジェネレータ１６に並列に接続されている。リチウムイオンバッテリ２７の正極端子２７ａには、第１電源ライン２９が接続されており、鉛バッテリ２８の正極端子２８ａには、第２電源ライン３０が接続されている。また、モータジェネレータ１６の発電電流を出力する出力端子１６ａには、通電ライン３１が接続されている。第１電源ライン２９、第２電源ライン３０および通電ライン３１は、接続点であるノード３２を介して互いに接続されている。すなわち、リチウムイオンバッテリ２７と鉛バッテリ２８との正極端子２７ａ，２８ａは、第１電源ライン２９、第２電源ライン３０およびノード３２からなる通電経路１００を介して接続されている。
【００１３】
通電経路１００を構成する第１電源ライン２９には、開閉スイッチ（スイッチ）ＳＷ１が設けられている。また、第２電源ライン３０には、開閉スイッチＳＷ２が設けられている。なお、開閉スイッチＳＷ２は、第２電源ライン３０における正極端子２８ａとノード３２との間に設けられている。これらの開閉スイッチＳＷ１，ＳＷ２は、閉じられた状態つまり導通状態（オン状態）と、開かれた状態つまり遮断状態（オフ状態）とに動作可能である。すなわち、開閉スイッチＳＷ１は、モータジェネレータ１６とリチウムイオンバッテリ２７とを電気的に接続する導通状態と、モータジェネレータ１６とリチウムイオンバッテリ２７とを電気的に分離する遮断状態とに切り替えられる。同様に、開閉スイッチＳＷ２は、モータジェネレータ１６と鉛バッテリ２８とを電気的に接続する導通状態と、モータジェネレータ１６と鉛バッテリ２８とを電気的に分離する遮断状態とに切り替えられる。
【００１４】
第２電源ライン３０には、瞬低保護負荷３３および車体負荷３４等が接続されている。また、第２電源ライン３０には、スタータリレー３５を介してスタータモータ２１が接続されており、ＩＳＧリレー３６を介してＩＳＧコントローラ２４が接続されている。さらに、第２電源ライン３０には、瞬低保護負荷３３、車体負荷３４、スタータモータ２１およびＩＳＧコントローラ２４等を保護するヒューズ３７が設けられている。図示する例では、第１電源ライン２９に開閉スイッチＳＷ１を設けているが、これに限られることはない。図３に一点鎖線で示すように、リチウムイオンバッテリ２７の負極端子２７ｂに接続される通電ライン３８に、開閉スイッチＳＷ１を設けても良い。
【００１５】
すなわち、リチウムイオンバッテリ２７と鉛バッテリ２８との負極端子２７ｂ，２８ｂは、通電ライン３８，３９からなる通電経路１０１を介して接続されている。この通電経路１０１を構成する通電ライン３８に、開閉スイッチＳＷ１を設けても良い。通電ライン３８に開閉スイッチＳＷ１を設けた場合であっても、開閉スイッチＳＷ１は、モータジェネレータ１６とリチウムイオンバッテリ２７とを電気的に接続する導通状態と、モータジェネレータ１６とリチウムイオンバッテリ２７とを電気的に分離する遮断状態とに切り替えられる。
【００１６】
図１および図２に示すように、車両用制御装置１０には、リチウムイオンバッテリ２７およびモータジェネレータ１６を備えた第１電源回路４１が設けられている。また、車両用制御装置１０には、鉛バッテリ２８、瞬低保護負荷３３、車体負荷３４およびスタータモータ２１等を備えた第２電源回路４２が設けられている。そして、第１電源回路４１と第２電源回路４２とは、開閉スイッチＳＷ２を介して接続されている。また、車両用制御装置１０にはバッテリモジュール４３が設けられており、このバッテリモジュール４３にリチウムイオンバッテリ２７および開閉スイッチＳＷ１，ＳＷ２が組み込まれている。
【００１７】
バッテリモジュール４３には、リチウムイオンバッテリ２７の充電状態、放電電流、充電電流、端子電圧、温度等を検出するバッテリセンサ４４が設けられている。また、バッテリモジュール４３には、駆動回路部やマイクロコンピュータ等を備えたバッテリコントローラ４５が設けられている。このバッテリコントローラ４５には、開閉スイッチＳＷ１を制御する第１スイッチ制御部４５ａ、および開閉スイッチＳＷ２を制御する第２スイッチ制御部４５ｂが設けられている。バッテリコントローラ４５は、後述する制御ユニット５０からの制御信号に基づいて、開閉スイッチＳＷ１，ＳＷ２を制御する。また、バッテリコントローラ４５は、リチウムイオンバッテリ２７の過度な充放電電流や温度上昇が検出された場合に、開閉スイッチＳＷ１を開いて車両用制御装置１０からリチウムイオンバッテリ２７を分離する。なお、図示していないが、バッテリコントローラ４５は、前述したＩＳＧコントローラ２４と同様に、第２電源ライン３０に接続される。
【００１８】
前述したように、第２電源ライン３０には、瞬低保護負荷３３が接続されている。この瞬低保護負荷３３は、後述するアイドリングストップ制御のエンジン再始動時に、作動状態を継続することが必要な電気機器である。瞬低保護負荷３３として、エンジン補機類、ブレーキアクチュエータ、パワーステアリングアクチュエータ、インストルメントパネル、各種電子制御ユニット等が挙げられる。また、第２電源ライン３０には、車体負荷３４が接続されている。この車体負荷３４は、アイドリングストップ制御のエンジン再始動時に、瞬間的な停止状態が許容される電気機器である。車体負荷３４として、ドアミラーモータ、パワーウィンドウモータ、ラジエータファンモータ等が挙げられる。
【００１９】
図２に示すように、車両用制御装置１０は、モータジェネレータ１６やバッテリモジュール４３等を制御する制御ユニット５０を有している。制御ユニット５０には、リチウムイオンバッテリ２７の充放電を制御する充放電コントローラ５１が設けられている。充放電コントローラ５１は、他のコントローラやセンサからの入力信号に基づいて、リチウムイオンバッテリ２７の充電状態や、アクセルペダルおよびブレーキペダルの操作状況等を判定する。そして、充放電コントローラ５１は、リチウムイオンバッテリ２７の充電状態等に基づいて、モータジェネレータ１６の発電状態を制御することにより、リチウムイオンバッテリ２７の充放電を制御する。なお、充放電コントローラ５１は、ＣＰＵ、ＲＯＭ、ＲＡＭ等によって構成されるマイクロコンピュータや、各種アクチュエータに対する制御電流を生成する駆動回路等を備えている。
【００２０】
制御ユニット５０には、アイドリングストップ制御を実行するＩＳＳコントローラ（エンジン制御部）５２が設けられている。アイドリングストップ制御とは、所定条件に基づいてエンジン１２を自動的に停止させ、所定条件に基づいてエンジン１２を自動的に再始動させる制御である。ＩＳＳコントローラ５２は、他のコントローラやセンサからの入力信号に基づいて、エンジン１２の停止条件や始動条件を判定する。そして、ＩＳＳコントローラ５２は、停止条件が成立した場合にエンジン１２を自動的に停止する一方、始動条件が成立した場合にエンジン１２を自動的に再始動する。エンジン１２の停止条件としては、例えば、車速が所定車速以下であり、かつブレーキペダルが踏み込まれることが挙げられる。また、エンジン１２の始動条件としては、例えば、ブレーキペダルの踏み込みが解除されることや、アクセルペダルが踏み込まれることが挙げられる。なお、ＩＳＳコントローラ５２は、ＣＰＵ、ＲＯＭ、ＲＡＭ等によって構成されるマイクロコンピュータや、各種アクチュエータに対する制御電流を生成する駆動回路等を備えている。また、ＩＳＳコントローラ５２のＩＳＳとは、「idling stop system」である。
【００２１】
制御ユニット５０に接続されるセンサとして、鉛バッテリ２８の充放電電流や充電状態等を検出するバッテリセンサ５３、アクセルペダルの踏み込み量を検出するアクセルセンサ５４、ブレーキペダルの踏み込み量を検出するブレーキセンサ５５がある。また、制御ユニット５０に接続される他のセンサ類として、車両１１の走行速度である車速を検出する車速センサ５６、エンジン始動時に手動操作されるスタートスイッチ５７等がある。さらに、制御ユニット５０には、車両用制御装置１０の異常を乗員に通知する警告灯５８が接続されている。
【００２２】
また、制御ユニット５０、モータジェネレータ１６およびバッテリモジュール４３等は、ＣＡＮやＬＩＮ等の車載ネットワーク５９を介して互いに接続されている。すなわち、ＩＳＧコントローラ２４、バッテリコントローラ４５、充放電コントローラ５１、ＩＳＳコントローラ５２および各種センサは、車載ネットワーク５９を介して通信自在に接続されている。この車載ネットワーク５９を介して、制御ユニット５０には、ＩＳＧコントローラ２４からモータジェネレータ１６の発電電圧や発電電流等が入力され、バッテリコントローラ４５からリチウムイオンバッテリ２７の充電状態や放電電流等が入力される。そして、制御ユニット５０は、車両用制御装置１０の作動状態や車両１１の走行状況を判定し、ＩＳＧコントローラ２４やバッテリコントローラ４５に制御信号を出力する。
【００２３】
［バッテリの電圧特性］
続いて、リチウムイオンバッテリ２７および鉛バッテリ２８の電圧特性について説明する。図４はバッテリの端子電圧と充電状態ＳＯＣとの関係を示す線図である。なお、充電状態ＳＯＣ（state of charge）とは、バッテリの充電度合を示す値であり、バッテリの設計容量に対する残存容量の比率である。また、図４に示される端子電圧Ｖ１，Ｖ２とは、電流が流れていないときのバッテリ電圧つまり開放端電圧である。また、図４に示される符号ＧＨは、モータジェネレータ１６の最大発電電圧を示している。
【００２４】
図４に示すように、リチウムイオンバッテリ２７の端子電圧Ｖ１は、鉛バッテリ２８の端子電圧Ｖ２よりも高く設定されている。すなわち、リチウムイオンバッテリ２７の充放電範囲Ｘ１における下限電圧Ｖ１Ｌは、鉛バッテリ２８の充放電範囲Ｘ２における上限電圧Ｖ２Ｈよりも高く設定されている。また、リチウムイオンバッテリ２７の端子電圧Ｖ１は、鉛バッテリ２８の充電電圧上限（例えば、１６Ｖ）よりも低く設定されている。すなわち、リチウムイオンバッテリ２７の充放電範囲Ｘ１における上限電圧Ｖ１Ｈは、鉛バッテリ２８の充電電圧上限よりも低く設定されている。これにより、リチウムイオンバッテリ２７と鉛バッテリ２８とを並列接続した場合であっても、リチウムイオンバッテリ２７による鉛バッテリ２８の過充電を回避することができ、鉛バッテリ２８の劣化を回避することができる。なお、充電電圧上限とは、蓄電体の劣化を抑制する観点から、蓄電体の種類毎に設定される充電電圧の上限値である。
【００２５】
図４に示すように、リチウムイオンバッテリ２７はサイクル特性に優れることから、リチウムイオンバッテリ２７には広い充放電範囲Ｘ１が設定されている。一方、鉛バッテリ２８には、バッテリ劣化を防止する観点から、満充電付近の狭い充放電範囲Ｘ２が設定されている。また、リチウムイオンバッテリ２７の内部抵抗は、鉛バッテリ２８の内部抵抗よりも小さく設定される。つまり、鉛バッテリ２８の内部抵抗は、リチウムイオンバッテリ２７の内部抵抗よりも大きく設定される。
【００２６】
［モータジェネレータの発電制御］
続いて、モータジェネレータ１６の発電制御について説明する。図５はモータジェネレータ１６の発電制御の一例を示すタイミングチャートである。図５には、モータジェネレータ１６の発電電圧ＶＧ、リチウムイオンバッテリ２７の端子電圧Ｖ１および充電状態Ｓ１、鉛バッテリ２８の端子電圧Ｖ２および充電状態Ｓ２が示されている。また、図５に示されるブレーキＯＮとは、ブレーキペダルが踏み込まれた状態を意味し、ブレーキＯＦＦとは、ブレーキペダルの踏み込みが解除された状態を意味している。
【００２７】
図５に示すように、リチウムイオンバッテリ２７の充電状態Ｓ１は、充放電範囲Ｘ１内で制御されている。例えば、リチウムイオンバッテリ２７の充電状態Ｓ１が、放電に伴って下限値ＳＬまで低下した場合には、モータジェネレータ１６が発電状態に制御されてリチウムイオンバッテリ２７が充電される。ここで、モータジェネレータ１６の発電状態として、燃焼発電状態と回生発電状態とがある。燃焼発電状態とは、エンジン動力によってモータジェネレータ１６を発電させ、燃料のエネルギーを電気エネルギーに変換する発電状態である。また、回生発電状態とは、車両減速時にモータジェネレータ１６を発電させ、車両１１の運動エネルギーを電気エネルギーに変換する発電状態である。車両１１のエネルギー効率を向上させて燃費性能を高めるためには、モータジェネレータ１６の回生発電状態を増やすことにより、モータジェネレータ１６の燃焼発電状態を減らしてエンジン１２の燃料消費量を抑制することが望ましい。すなわち、モータジェネレータ１６の回生電力をリチウムイオンバッテリ２７に積極的に蓄え、この回生電力をリチウムイオンバッテリ２７から車体負荷３４等に放出することにより、モータジェネレータ１６の燃焼発電状態を減らすことが望ましい。
【００２８】
モータジェネレータ１６を燃焼発電状態に制御するか否かは、リチウムイオンバッテリ２７の充電状態Ｓ１に基づいて決定される。すなわち、充放電コントローラ５１は、充電状態Ｓ１が下限値ＳＬまで低下したときに、モータジェネレータ１６を燃焼発電状態に制御する。そして、充放電コントローラ５１は、充電状態Ｓ１が第１上限値ＳＨ１に到達するまで、モータジェネレータ１６の燃焼発電状態を継続する。一方、モータジェネレータ１６を回生発電状態に制御するか否かは、アクセルペダルやブレーキペダルの操作状況に基づいて決定される。すなわち、充放電コントローラ５１は、アクセルペダルの踏み込みが解除される車両減速時や、ブレーキペダルが踏み込まれる車両減速時に、モータジェネレータ１６を回生発電状態に制御している。そして、充放電コントローラ５１は、アクセルペダルが踏み込まれた場合や、ブレーキペダルの踏み込みが解除された場合に、モータジェネレータ１６の回生発電状態を解除し、モータジェネレータ１６を発電休止状態に制御している。なお、モータジェネレータ１６が回生発電状態に制御された状態のもとで、充電状態Ｓ１が第２上限値ＳＨ２まで上昇した場合には、リチウムイオンバッテリ２７の過充電を防止するため、モータジェネレータ１６の回生発電状態は解除され、モータジェネレータ１６は発電休止状態に制御される。
【００２９】
［車両用制御装置の電力供給状況］
続いて、車両用制御装置１０の電力供給状況について説明する。図６および図７は車両用制御装置１０の電力供給状況を示す説明図である。図６にはリチウムイオンバッテリ充電時の電力供給状況が示されており、図７にはリチウムイオンバッテリ放電時の電力供給状況が示されている。
【００３０】
まず、図５に示すように、リチウムイオンバッテリ２７の充電状態Ｓ１が、下限値ＳＬまで低下すると（符号Ａ１）、充放電コントローラ５１は、モータジェネレータ１６を燃焼発電状態に制御する。この燃焼発電状態においては、モータジェネレータ１６の発電電圧ＶＧが、リチウムイオンバッテリ２７の端子電圧Ｖ１よりも高い所定電圧Ｖａに引き上げられる（符号Ｂ１）。ここで、図６に示すように、モータジェネレータ１６の発電電圧ＶＧを、リチウムイオンバッテリ２７の端子電圧Ｖ１よりも上げる際には、バッテリモジュール４３内の開閉スイッチＳＷ１，ＳＷ２は閉じられた状態に保持される。これにより、図６に矢印で示すように、モータジェネレータ１６の発電電力は、リチウムイオンバッテリ２７、鉛バッテリ２８、瞬低保護負荷３３、車体負荷３４に供給される。
【００３１】
このように、モータジェネレータ１６が燃焼発電状態に制御されると、リチウムイオンバッテリ２７が充電されるため、リチウムイオンバッテリ２７の充電状態Ｓ１は徐々に上昇する。そして、図５に示すように、充電状態Ｓ１が第１上限値ＳＨ１に到達すると（符号Ａ２）、充放電コントローラ５１は、モータジェネレータ１６を発電休止状態に制御する。この発電休止状態においては、モータジェネレータ１６の発電電圧ＶＧが、リチウムイオンバッテリ２７の端子電圧Ｖ１よりも低い「０」に引き下げられる（符号Ｂ２）。ここで、図７に示すように、モータジェネレータ１６の発電電圧ＶＧを、リチウムイオンバッテリ２７の端子電圧Ｖ１よりも下げる際には、バッテリモジュール４３内の開閉スイッチＳＷ１，ＳＷ２は閉じられた状態に保持される。これにより、図７に矢印で示すように、リチウムイオンバッテリ２７に蓄えられた電力が、瞬低保護負荷３３、車体負荷３４および鉛バッテリ２８に供給される。
【００３２】
次いで、図５に示すように、ブレーキペダルが踏み込まれると（符号Ｃ１）、充放電コントローラ５１は、モータジェネレータ１６を回生発電状態に制御する。この回生発電状態においては、モータジェネレータ１６の発電電圧ＶＧが、リチウムイオンバッテリ２７の端子電圧Ｖ１よりも高い所定電圧Ｖｂに引き上げられる（符号Ｂ３）。ここで、図６に示すように、モータジェネレータ１６の発電電圧ＶＧを、リチウムイオンバッテリ２７の端子電圧Ｖ１よりも上げる際には、バッテリモジュール４３内の開閉スイッチＳＷ１，ＳＷ２は閉じられた状態に保持される。これにより、図６に矢印で示すように、モータジェネレータ１６の発電電力は、リチウムイオンバッテリ２７、鉛バッテリ２８、瞬低保護負荷３３、車体負荷３４に供給される。
【００３３】
その後、図５に示すように、ブレーキペダルの踏み込みが解除されると（符号Ｃ２）、充放電コントローラ５１は、モータジェネレータ１６を発電休止状態に制御する。この発電休止状態においては、モータジェネレータ１６の発電電圧ＶＧが、リチウムイオンバッテリ２７の端子電圧Ｖ１よりも低い「０」に引き下げられる（符号Ｂ４）。ここで、図７に示すように、モータジェネレータ１６の発電電圧ＶＧを、リチウムイオンバッテリ２７の端子電圧Ｖ１よりも下げる際には、バッテリモジュール４３内の開閉スイッチＳＷ１，ＳＷ２は閉じられた状態に保持される。これにより、図７に矢印で示すように、リチウムイオンバッテリ２７に蓄えられた電力が、瞬低保護負荷３３、車体負荷３４および鉛バッテリ２８に供給される。
【００３４】
これまで説明したように、モータジェネレータ１６の発電電圧ＶＧを制御することにより、リチウムイオンバッテリ２７の充放電を制御することができる。すなわち、発電電圧ＶＧを端子電圧Ｖ１よりも上げることにより、リチウムイオンバッテリ２７を充電することができる。一方、発電電圧ＶＧを端子電圧Ｖ１よりも下げることにより、リチウムイオンバッテリ２７を放電させることができる。しかも、リチウムイオンバッテリ２７の端子電圧Ｖ１を、鉛バッテリ２８の端子電圧Ｖ２よりも高く設定したので、開閉スイッチＳＷ１，ＳＷ２を閉じた状態に保持したまま、リチウムイオンバッテリ２７を充放電させることができる。すなわち、リチウムイオンバッテリ２７から鉛バッテリ２８を切り離さずに、リチウムイオンバッテリ２７を放電させることができるため、車両用制御装置１０の回路構造やスイッチ制御を複雑にすることなく、リチウムイオンバッテリ２７を積極的に充放電させることが可能である。これにより、車両１１のエネルギー効率を向上させる車両用制御装置１０のコストを下げることができる。
【００３５】
図６に示すように、モータジェネレータ１６を発電させる際には、鉛バッテリ２８の充電を抑制しつつ、リチウムイオンバッテリ２７を積極的に充電することができる。すなわち、リチウムイオンバッテリ２７の内部抵抗は、鉛バッテリ２８の内部抵抗よりも小さいことから、鉛バッテリ２８の充電を抑制しつつ、リチウムイオンバッテリ２７に積極的に充電することが可能である。また、図７に示すように、モータジェネレータ１６の発電を休止させる際には、鉛バッテリ２８の放電を抑制しつつ、リチウムイオンバッテリ２７を積極的に放電させることができる。すなわち、リチウムイオンバッテリ２７の端子電圧Ｖ１は、鉛バッテリ２８の端子電圧Ｖ２よりも高いことから、鉛バッテリ２８の放電を抑制しつつ、リチウムイオンバッテリ２７を積極的に放電させることが可能である。このように、鉛バッテリ２８の充放電を抑制することができるため、鉛バッテリ２８に求められる出力特性やサイクル特性を緩和することができ、鉛バッテリ２８のコストを下げることが可能である。この点からも、車両用制御装置１０のコストを下げることができる。
【００３６】
なお、前述の説明では、発電電圧ＶＧを端子電圧Ｖ１よりも下げる際に、モータジェネレータ１６を発電休止状態に制御しているが、これに限られることはない。モータジェネレータ１６の発電状態を維持したまま、発電電圧ＶＧを端子電圧Ｖ１よりも下げた場合であっても、リチウムイオンバッテリ２７を放電させることが可能である。このとき、モータジェネレータ１６の発電電流を調整することにより、リチウムイオンバッテリ２７の放電電流を制御することが可能である。すなわち、モータジェネレータ１６の発電電流を増加させることにより、リチウムイオンバッテリ２７の放電電流を減少させることができる。一方、モータジェネレータ１６の発電電流を減少させることにより、リチウムイオンバッテリ２７の放電電流を増加させることができる。
【００３７】
［エンジン始動制御］
続いて、エンジン始動時における車両用制御装置１０の電力供給状況について説明する。図８および図９は車両用制御装置１０の電力供給状況を示す説明図である。図８にはスタートスイッチ操作によるエンジン初始動時の電力供給状況が示されており、図９にはアイドリングストップ制御によるエンジン再始動時の電力供給状況が示されている。
【００３８】
図８に示すように、運転手のスタートスイッチ操作によるエンジン初始動時においては、第２始動系６２を構成するスタータモータ２１によってエンジン１２が始動される。第２始動系６２は、スタータモータ２１とこれに電気的に接続される鉛バッテリ２８とによって構成されている。すなわち、スタートスイッチ操作によるエンジン初始動時には、バッテリモジュール４３内の開閉スイッチＳＷ２が閉じられた後に、スタータリレー３５が閉じられる。これにより、鉛バッテリ２８からスタータモータ２１に電力が供給され、スタータモータ２１のクランキング動作によってエンジン１２が始動される。なお、バッテリモジュール４３内の開閉スイッチＳＷ１は、エンジン１２が始動された後に閉じられる。前述の説明では、リチウムイオンバッテリ２７の放電を抑制する観点から、開閉スイッチＳＷ１は開かれているが、これに限られることはない。例えば、極寒地等の低温環境下においては、開閉スイッチＳＷ１，ＳＷ２を閉じることにより、鉛バッテリ２８とリチウムイオンバッテリ２７との双方から、スタータモータ２１に対して電力を供給しても良い。
【００３９】
図９に示すように、アイドリングストップ制御によるエンジン再始動時においては、第１始動系６１を構成するモータジェネレータ１６によってエンジン１２が始動される。第１始動系６１は、モータジェネレータ１６とこれに電気的に接続されるリチウムイオンバッテリ２７とによって構成されている。すなわち、アイドリングストップ制御によるエンジン再始動時には、バッテリモジュール４３内の開閉スイッチＳＷ２が開かれた後に、モータジェネレータ１６の目標駆動トルクが引き上げられる。これにより、リチウムイオンバッテリ２７からモータジェネレータ１６に電力が供給され、モータジェネレータ１６のクランキング動作によってエンジン１２が始動される。アイドリングストップ制御によるエンジン再始動時においては、開閉スイッチＳＷ２を開いて第１電源回路４１と第２電源回路４２とを切り離すことにより、第２電源回路４２の瞬低保護負荷３３に対する瞬間的な電圧低下つまり瞬低を防止することができる。これにより、エンジン再始動時に瞬低保護負荷３３の作動状態を継続することができるため、車両品質を向上させることができる。
【００４０】
［フェイルセーフ制御］
続いて、車両用制御装置１０によって実行されるフェイルセーフ制御について説明する。前述したように、アイドリングストップ制御によるエンジン再始動時においては、リチウムイオンバッテリ２７からモータジェネレータ１６に電力が供給され、モータジェネレータ１６のクランキング動作によってエンジン１２が始動される。このように、アイドリングストップ制御によるエンジン再始動時には、第１始動系６１を用いてエンジン１２が始動される。このため、第１始動系６１に異常が発生した場合には、始動条件が成立してもエンジン１２を再始動することが困難であった。
【００４１】
ここで、図１０〜図１２は第１始動系６１における異常状態の発生例を示す説明図である。まず、図１０に示すように、アイドリングストップ制御によるエンジン停止中（以下、アイドリングストップ中と記載する。）に、開閉スイッチＳＷ２とヒューズ３７とを接続する電源ライン３０に短絡が発生した場合には、リチウムイオンバッテリ２７や鉛バッテリ２８から大きな放電電流が短絡部位ＳＣ１に流れる。このように、電源ライン３０等の短絡に伴ってリチウムイオンバッテリ２７から大電流が流れた場合には、図１１に示すように、強制的に開閉スイッチＳＷ１が遮断され、リチウムイオンバッテリ２７の放電が停止される。この場合には、開閉スイッチＳＷ１の遮断状態が継続されるため、リチウムイオンバッテリ２７からモータジェネレータ１６に電力を供給することができずに、始動条件が成立してもエンジン１２を再始動することが困難となっていた。また、図１２に示すように、ＩＳＧリレー３６が故障等によって遮断された場合には、モータジェネレータ１６つまりＩＳＧコントローラ２４の電源が遮断される。この場合には、モータジェネレータ１６を制御することができずに、始動条件が成立してもエンジン１２を再始動することが困難となっていた。
【００４２】
なお、図１１にリチウムイオンバッテリ２７の使用不能状態を示し、図１２にモータジェネレータ１６の駆動不能状態を示しているが、第１始動系６１の異常としては、図１１や図１２に示した例に限られることはない。例えば、リチウムイオンバッテリ２７の異常である使用不能状態としては、各種コントローラ間の通信異常、リチウムイオンバッテリ２７の温度上昇による開閉スイッチＳＷ１の遮断、バッテリコントローラ４５の電源遮断、バッテリコントローラ４５の故障等がある。また、モータジェネレータ１６の異常である駆動不能状態としては、各種コントローラ間の通信異常、ＩＳＧコントローラ２４の故障等がある。
【００４３】
上述のように、リチウムイオンバッテリ２７の使用不能状態が発生した場合や、モータジェネレータ１６の駆動不能状態が発生した場合には、始動条件が成立してもエンジン１２を再始動することが困難であった。そこで、制御ユニット５０のＩＳＳコントローラ５２は、第１始動系６１の異常発生時にエンジン１２を再始動するため、以下のフェイルセーフ制御を実行している。
【００４４】
図１３はフェイルセーフ制御の実行手順の一例を示すフローチャートであり、図１４はフェイルセーフ制御によるエンジン再始動状況を示す説明図である。図１３に示すように、ステップＳ１０においては、アイドリングストップ中であるか否かが判定される。ステップＳ１０において、アイドリングストップ中であると判定された場合には、ステップＳ１１に進み、リチウムイオンバッテリ２７が使用不能状態であるか否かが判定される。ステップＳ１１において、リチウムイオンバッテリ２７が使用不能状態であると判定された場合には、第１始動系６１に異常が発生していることから、ステップＳ１２に進み、開閉スイッチＳＷ１を遮断状態に切り替える遮断信号が出力され、開閉スイッチＳＷ１が遮断状態（オフ状態）に切り替えられる。このように、開閉スイッチＳＷ１に対する遮断信号が出力された後には、ステップＳ１３に進み、スタータモータ２１によってエンジン１２が再始動される。
【００４５】
一方、ステップＳ１１において、リチウムイオンバッテリ２７が正常であると判定された場合には、ステップＳ１４に進み、モータジェネレータ１６が駆動不能状態であるか否かが判定される。ステップＳ１４において、モータジェネレータ１６が駆動不能状態であると判定された場合には、第１始動系６１に異常が発生していることから、ステップＳ１２に進み、開閉スイッチＳＷ１を遮断状態に切り替える遮断信号が出力され、開閉スイッチＳＷ１が遮断状態（オフ状態）に切り替えられる。このように、開閉スイッチＳＷ１に対する遮断信号が出力された後には、ステップＳ１３に進み、スタータモータ２１によってエンジン１２が再始動される。
【００４６】
このように、ステップＳ１３においてエンジン１２を再始動する際には、図１４に示すように、第１始動系６１の異常を検出したＩＳＳコントローラ５２から、スタータリレー３５に対して接続信号が出力され、スタータリレー３５が接続状態（オン状態）に切り替えられる。これにより、鉛バッテリ２８からスタータモータ２１に電力が供給され、スタータモータ２１のクランキング動作によってエンジン１２が再始動される。そして、エンジン１２が再始動されると、ステップＳ１５に進み、エンジン１２のアイドリングストップ制御が禁止される。すなわち、第１始動系６１に異常が発生していることから、停止条件に基づきエンジン１２を自動的に停止させることが禁止され、再始動されたエンジン１２は運転状態を継続することになる。そして、ステップＳ１６に進み、第１始動系６１の異常やアイドリングストップ制御の禁止を乗員に通知するため、警告灯５８が点灯される。
【００４７】
これまで説明したように、アイドリングストップ中において、第１始動系６１に異常が発生した場合には、スタータモータ２１つまり第２始動系６２を用いてエンジン１２が再始動される。これにより、第１始動系６１に異常が発生した場合であっても、エンジン１２を確実に再始動することができ、車両１１の走行性能を確保することができる。また、第１始動系６１に異常が発生した場合には、アイドリングストップ制御における始動条件の成立前に、第２始動系６２を用いて直ちにエンジン１２を再始動させている。これにより、第１始動系６１の異常に伴う走行不能状態から、素早く脱することができるため、フェイルセーフ制御の確実性を高めることができる。
【００４８】
また、第２始動系６２を用いてエンジン１２を再始動させた後には、アイドリングストップ制御を禁止している。このように、アイドリングストップ制御によるエンジン停止を禁止することにより、車両走行に影響を与える不確実な要素を排除することができるため、車両走行に関する様々な制御を安定させることができる。さらに、第１始動系６１に異常が発生した場合には、エンジン１２が再始動される前に、開閉スイッチＳＷ１に対して遮断信号が出力される。これにより、リチウムイオン３１から第１始動系６１への電力供給を遮断することができ、安全にエンジン１２を再始動することができる。
【００４９】
本発明は前記実施の形態に限定されるものではなく、その要旨を逸脱しない範囲で種々変更可能であることはいうまでもない。前述の説明では、ＩＳＳコントローラ５２をエンジン制御部として機能させているが、これに限られることはなく、他のコントローラをエンジン制御部として機能させても良い。また、１つのコントローラによってエンジン制御部を構成することなく、複数のコントローラによってエンジン制御部を構成しても良い。前述の説明では、開閉スイッチＳＷ１，ＳＷ２を開閉制御する際に、制御ユニット５０から接続信号や遮断信号等の制御信号を出力しているが、これに限られることはない。例えば、開閉スイッチＳＷ１，ＳＷ２を開閉制御する際に、バッテリコントローラ４５から制御信号を出力しても良く、他のコントローラから制御信号を出力しても良い。
【００５０】
前述の説明では、第１蓄電体としてリチウムイオンバッテリ２７を採用し、第２蓄電体として鉛バッテリ２８を採用しているが、これに限られることはなく、第１蓄電体や第２蓄電体として如何なる蓄電体を採用しても良い。例えば、第１蓄電体として、鉛バッテリ、ニッケル水素バッテリ、電気二重層キャパシタ等を採用しても良い。また、第２蓄電体として、リチウムイオンバッテリ、ニッケル水素バッテリ、電気二重層キャパシタ等を採用しても良い。さらに、第１蓄電体および第２蓄電体として、同種の蓄電体を採用しても良いことはいうまでもない。なお、リチウムイオンバッテリ２７と鉛バッテリ２８とを組み合わせる際には、リチウムイオンバッテリ２７として、正極材料にリン酸鉄リチウムを適用したリン酸鉄リチウムイオンバッテリを採用することが望ましい。
【００５１】
前述の説明では、通電経路１００を構成する第２電源ライン３０に、開閉スイッチＳＷ２を設けているが、これに限られることはなく、通電経路１０１を構成する通電ライン３９に、開閉スイッチＳＷ２を設けても良い。このように、通電経路１０１に開閉スイッチＳＷ２を設けた場合であっても、電源回路に対する鉛バッテリ２８の接続状態を制御することができる。また、開閉スイッチＳＷ１，ＳＷ２としては、接触子を電磁力によって動作させる電磁式のスイッチであっても良く、半導体素子を用いて構成される半導体式のスイッチであっても良い。
【００５２】
前述の説明では、モータジェネレータ１６を燃焼発電状態に制御する際には、発電電圧ＶＧを所定電圧Ｖａに引き上げ、モータジェネレータ１６を回生発電状態に制御する際には、発電電圧ＶＧを所定電圧Ｖｂに引き上げているが、これに限られることはない。例えば、モータジェネレータ１６の目標発電電圧を、燃焼発電状態と回生発電状態とで一致させても良い。また、燃焼発電状態や回生発電状態において、モータジェネレータ１６の目標発電電圧を、車速、アクセル操作量、ブレーキ操作量に基づき変化させても良い。また、前述の説明では、発電機および電動機として機能するモータジェネレータ１６を用いているが、これに限られることはなく、電動機として機能しない発電機を用いても良い。なお、モータジェネレータ１６としては、誘導発電機に限られることはなく、他の形式の発電機を採用しても良い。
【００５３】
前述の説明では、アイドリングストップ制御のエンジン再始動時に、モータジェネレータ１６を電動機として駆動しているが、これに限られることはない。例えば、エンジン始動後の加速走行時に、モータジェネレータ１６を電動機として駆動することにより、エンジン１２の負荷を軽減しても良い。さらに、前述の説明では、第１電源回路４１に車体負荷３４を接続しているが、これに限られることはなく、第２電源回路４２だけに車体負荷３４を接続しても良く、第１電源回路４１と第２電源回路４２との双方に車体負荷３４を接続しても良い。
【符号の説明】
【００５４】
１０    車両用制御装置
１１    車両
１２    エンジン
１６    モータジェネレータ（第１電動機）
２１    スタータモータ（第２電動機）
２７    リチウムイオンバッテリ（第１蓄電体）
２７ａ  正極端子
２７ｂ  負極端子
２８    鉛バッテリ（第２蓄電体）
２８ａ  正極端子
２８ｂ  負極端子
５２    ＩＳＳコントローラ（エンジン制御部）
６１    第１始動系
６２    第２始動系
１００    通電経路
１０１    通電経路
ＳＷ１  開閉スイッチ（スイッチ）
【図１】
0006043394.tif 000002
【図２】
0006043394.tif 000003
【図３】
0006043394.tif 000004
【図４】
0006043394.tif 000005
【図５】
0006043394.tif 000006
【図６】
0006043394.tif 000007
【図７】
0006043394.tif 000008
【図８】
0006043394.tif 000009
【図９】
0006043394.tif 000010
【図１０】
0006043394.tif 000011
【図１１】
0006043394.tif 000012
【図１２】
0006043394.tif 000013
【図１３】
0006043394.tif 000014
【図１４】
0006043394.tif 000015